(57)【要約】【解決課題】商品の陳列面や陳列形態を変化させることができる商品陳列具及び商品陳列具セットを提供すること。【解決手段】商品陳列面の形状が、長さが略等しく且つ直線状の第一辺及び第二辺と、直線状又は円弧状の第三辺と、を有し、第一辺と第二辺の一端側の間隔が狭く且つ他端側の間隔が広くなるように第一辺と第二辺が傾いており、略線対象である形状の商品陳列具であり、他の商品陳列具の嵌合用凸部が嵌合する嵌合用凹部を３つ有し、該嵌合用凹部の形成位置が、第一辺と第二辺の端部近傍と、第一辺と第三辺の端部近傍と、第二辺と第三辺の端部近傍であり、他の商品陳列具の嵌合用凹部に嵌合する嵌合用凸部を３つ有し、該嵌合用凸部の形成位置が、第一辺と第二辺の端部近傍と、第一辺と第三辺の端部近傍と、第二辺と第三辺の端部近傍であり、該商品陳列具の下側に、補助支持部材が係合する補助支持部材用係合部を有すること、を特徴とする商品陳列具【選択図】図１
2014018505.tif 000002
【特許請求の範囲】
【請求項１】
商品陳列面の形状が、長さが略等しく且つ直線状の第一辺及び第二辺と、直線状又は円弧状の第三辺と、を有し、第一辺と第二辺の一端側の間隔が狭く且つ他端側の間隔が広くなるように第一辺と第二辺が傾いており、略線対象である形状の商品陳列具であり、
該商品陳列具の商品陳列面に形成され、他の商品陳列具の嵌合用凸部が嵌合する嵌合用凹部を３つ有し、該嵌合用凹部の形成位置が、商品陳列面を平面視したときの第一辺と第二辺の端部近傍と、第一辺と第三辺の端部近傍と、第二辺と第三辺の端部近傍であり、
該商品陳列具の下側に形成され、他の商品陳列具の嵌合用凹部に嵌合する嵌合用凸部を３つ有し、該嵌合用凸部の形成位置が、商品陳列具を底面視したときの第一辺と第二辺の端部近傍と、第一辺と第三辺の端部近傍と、第二辺と第三辺の端部近傍であり、
該商品陳列具の下側に、補助支持部材が係合する補助支持部材用係合部を有すること、
を特徴とする商品陳列具。
【請求項２】
前記補助支持部材用係合部が、前記嵌合用凸部の内側に形成されていることを特徴とする請求項１記載の商品陳列具。
【請求項３】
前記商品陳列面の形状が略扇形であることを特徴とする請求項１又は２いずれか１項記載の商品陳列具。
【請求項４】
商品陳列面の形状が、長さが略等しく且つ直線状の第一辺及び第二辺と、直線状又は円弧状の第三辺と、を有し、第一辺と第二辺の一端側の間隔が狭く且つ他端側の間隔が広くなるように第一辺と第二辺が傾いており、略線対象である形状の商品陳列具であり、
該商品陳列具の商品陳列面に形成され、他の商品陳列具の嵌合用凸部が嵌合する嵌合用凹部を１つ有し、該嵌合用凹部の形成位置が、商品陳列面を平面視したときの第一辺と第二辺の端部近傍であり、
該商品陳列具の下側に形成され、他の商品陳列具の嵌合用凹部に嵌合する嵌合用凸部を１つ有し、該嵌合用凸部の形成位置が、商品陳列具を底面視したときの第一辺と第二辺の端部近傍であり、
該商品陳列具の下側に、補助支持部材が係合する補助支持部材用係合部を有すること、
を特徴とする商品陳列具。
【請求項５】
前記補助支持部材用係合部の形成位置が、商品陳列具を底面視したときの第一辺と第三辺の端部近傍又は第二辺と第三辺の端部近傍のいずれか一方、あるいは第一辺と第三辺の端部近傍及び第二辺と第三辺の端部近傍の両方であることを特徴とする請求項４記載の商品陳列具。
【請求項６】
前記商品陳列面の形状が略扇形であることを特徴とする請求項４又は５いずれか１項記載の商品陳列具。
【請求項７】
商品陳列面の形状が、長さが略等しく且つ直線状の第一辺及び第二辺と、直線状又は円弧状の第三辺と、を有し、第一辺と第二辺の一端側の間隔が狭く且つ他端側の間隔が広くなるよう第一辺と第二辺が傾いており、略線対象である形状の商品陳列具であり、
該商品陳列具の商品陳列面に形成され、他の商品陳列具の嵌合用凸部が嵌合する嵌合用凹部を２つ有し、該嵌合用凹部の形成位置が、商品陳列面を平面視したときの第一辺と第二辺の端部近傍と、第一辺と第三辺の端部近傍又は第二辺と第三辺の端部近傍のいずれか一方と、であり、
該商品陳列具の下側に形成され、他の商品陳列具の嵌合用凹部に嵌合する嵌合用凸部を２つ有し、該嵌合用凸部の形成位置が、商品陳列具を底面視したときの第一辺と第二辺の端部近傍と、第一辺と第三辺の端部近傍又は第二辺と第三辺の端部近傍のいずれか一方と、であり、
該商品陳列具の下側に、補助支持部材が係合する補助支持部材用係合部を有すること、
を特徴とする商品陳列具。
【請求項８】
前記補助支持部材用係合部の形成位置が、商品陳列具を底面視したときの第一辺と第三辺の端部近傍又は第二辺と第三辺の端部近傍のいずれか一方であることを特徴とする請求項７記載の商品陳列具。
【請求項９】
前記商品陳列面の形状が略扇形であることを特徴とする請求項７又は８いずれか１項記載の商品陳列具。
【請求項１０】
２以上の商品陳列具と、１以上の補助支持部材と、を有し、
該商品陳列具は、請求項１〜９いずれか１項記載の商品陳列具であり、
該補助支持部材は、該商品陳列具の該補助支持部材用係合部に係合することにより、該商品陳列具を下側から支持する部材であること、
を特徴とする商品陳列具セット。
【発明の詳細な説明】
【技術分野】
【０００１】
本発明は、商品を陳列するための商品陳列具を複数組み合わせることにより、商品の陳列形態を形成させる商品陳列具セット及び該商品陳列具セットを構成する商品陳列具に関する。
【背景技術】
【０００２】
従来より、陳列面を階段状にすることにより、陳列面の高さに変化をつけ、商品陳列の演出効果を発揮させる商品陳列台はあった。
【０００３】
また、陳列面の高さが異なる複数の商品陳列具を用意し、種々の配置形態に並べることにより、商品陳列の演出効果を発揮させる商品の陳列形態はあった。
【発明の概要】
【発明が解決しようとする課題】
【０００４】
しかし、陳列面が階段状の商品陳列台では、商品の陳列形態を変化させることはできないという問題があった。
【０００５】
また、陳列面の高さが異なる複数の商品陳列具を用いる場合には、商品陳列具の陳列面の高さや配置の工夫だけでは、商品陳列の演出効果には限界があった。
【０００６】
従って、本発明の課題は、商品の陳列面や陳列形態を変化させることができる商品陳列具及び商品陳列具セットを提供することにある。また、本発明の課題は、新たな商品陳列の演出効果を奏する商品陳列具及び商品陳列具セットを提供することにある。
【課題を解決するための手段】
【０００７】
上記本発明の課題は、以下の本発明により解決される。
すなわち、本発明（１）は、商品陳列面の形状が、長さが略等しく且つ直線状の第一辺及び第二辺と、直線状又は円弧状の第三辺と、を有し、第一辺と第二辺の一端側の間隔が狭く且つ他端側の間隔が広くなるように第一辺と第二辺が傾いており、略線対象である形状の商品陳列具であり、
該商品陳列具の商品陳列面に形成され、他の商品陳列具の嵌合用凸部が嵌合する嵌合用凹部を３つ有し、該嵌合用凹部の形成位置が、商品陳列面を平面視したときの第一辺と第二辺の端部近傍と、第一辺と第三辺の端部近傍と、第二辺と第三辺の端部近傍であり、
該商品陳列具の下側に形成され、他の商品陳列具の嵌合用凹部に嵌合する嵌合用凸部を３つ有し、該嵌合用凸部の形成位置が、商品陳列具を底面視したときの第一辺と第二辺の端部近傍と、第一辺と第三辺の端部近傍と、第二辺と第三辺の端部近傍であり、
該商品陳列具の下側に、補助支持部材が係合する補助支持部材用係合部を有すること、
を特徴とする商品陳列具を提供するものである。
【０００８】
また、本発明（２）は、商品陳列面の形状が、長さが略等しく且つ直線状の第一辺及び第二辺と、直線状又は円弧状の第三辺と、を有し、第一辺と第二辺の一端側の間隔が狭く且つ他端側の間隔が広くなるように第一辺と第二辺が傾いており、略線対象である形状の商品陳列具であり、
該商品陳列具の商品陳列面に形成され、他の商品陳列具の嵌合用凸部が嵌合する嵌合用凹部を１つ有し、該嵌合用凹部の形成位置が、商品陳列面を平面視したときの第一辺と第二辺の端部近傍であり、
該商品陳列具の下側に形成され、他の商品陳列具の嵌合用凹部に嵌合する嵌合用凸部を１つ有し、該嵌合用凸部の形成位置が、商品陳列具を底面視したときの第一辺と第二辺の端部近傍であり、
該商品陳列具の下側に、補助支持部材が係合する補助支持部材用係合部を有すること、
を特徴とする商品陳列具を提供するものである。
【０００９】
また、本発明（３）は、商品陳列面の形状が、長さが略等しく且つ直線状の第一辺及び第二辺と、直線状又は円弧状の第三辺と、を有し、第一辺と第二辺の一端側の間隔が狭く且つ他端側の間隔が広くなるよう第一辺と第二辺が傾いており、略線対象である形状の商品陳列具であり、
該商品陳列具の商品陳列面に形成され、他の商品陳列具の嵌合用凸部が嵌合する嵌合用凹部を２つ有し、該嵌合用凹部の形成位置が、商品陳列面を平面視したときの第一辺と第二辺の端部近傍と、第一辺と第三辺の端部近傍又は第二辺と第三辺の端部近傍のいずれか一方と、であり、
該商品陳列具の下側に形成され、他の商品陳列具の嵌合用凹部に嵌合する嵌合用凸部を２つ有し、該嵌合用凸部の形成位置が、商品陳列具を底面視したときの第一辺と第二辺の端部近傍と、第一辺と第三辺の端部近傍又は第二辺と第三辺の端部近傍のいずれか一方と、であり、
該商品陳列具の下側に、補助支持部材が係合する補助支持部材用係合部を有すること、
を特徴とする商品陳列具を提供するものである。
【００１０】
また、本発明（４）は、２以上の商品陳列具と、１以上の補助支持部材と、を有し、
該商品陳列具は、本発明（１）〜（３）いずれかの商品陳列具であり、
該補助支持部材は、該商品陳列具の該補助支持部材用係合部に係合することにより、該商品陳列具を下側から支持する部材であること、
を特徴とする商品陳列具セットを提供するものである。
【発明の効果】
【００１１】
本発明によれば、商品陳列面や陳列形態を変化させることができる商品陳列具及び商品陳列具セットを提供することができる。また、本発明によれば、新たな商品陳列の演出効果を奏する商品陳列具及び商品陳列具セットを提供することができる。
【図面の簡単な説明】
【００１２】
【図１】本発明の商品陳列具（１）の形態例の模式的な斜視図である。
【図２−１】図１に示す商品陳列具の（Ａ）平面図、（Ｂ）底面図である。
【図２−２】図１に示す商品陳列具の（Ｃ）側面図、（Ｄ）正面図、（Ｅ）背面図である。
【図３】図１に示す商品陳列具の断面図である。
【図４】図１に示す商品陳列具の使用形態例を示す図であり、４つの商品陳列具を用いる組み立て体の斜視図である。
【図５】図４に示す組み立て体の側面図である。
【図６】図１に示す商品陳列具の使用形態例を示す図であり、４つの商品陳列具を用いる組み立て体の斜視図である。
【図７】図１に示す商品陳列具の使用形態例を示す図であり、４つの商品陳列具を用いる組み立て体の斜視図である。
【図８】図１に示す商品陳列具の使用形態例を示す図であり、４つの商品陳列具を用いる組み立て体の斜視図である。
【図９】図１に示す商品陳列具の使用形態例を示す図であり、４つの商品陳列具を用いる組み立て体の斜視図である。
【図１０】本発明の商品陳列具（１）の形態例の模式的な平面図である。
【図１１】本発明の商品陳列具（１）の形態例の模式的な平面図である。
【図１２】本発明の商品陳列具（１）の形態例を示す模式図である。
【図１３】本発明の商品陳列具（１）の形態例を示す模式図である。
【図１４】本発明の商品陳列具（２）の形態例の模式的な斜視図である。
【図１５−１】図１４に示す商品陳列具の（Ａ）平面図、（Ｂ）底面図である。
【図１５−２】図１４に示す商品陳列具の（Ｃ）側面図、（Ｄ）正面図、（Ｅ）背面図である。
【図１６】図１４に示す商品陳列具の断面図である。
【図１７】図１４に示す商品陳列具の使用形態例を示す図であり、４つの商品陳列具を用いる組み立て体の斜視図である。
【図１８】図１７に示す組み立て体の側面図である。
【図１９】本発明の商品陳列具（２）の形態例を示す模式図である。
【図２０】本発明の商品陳列具（２）の形態例を示す模式図である。
【発明を実施するための形態】
【００１３】
本発明の第一の形態の商品陳列具（以下、本発明の商品陳列具（１）とも記載する。）は、商品陳列面の形状が、長さが略等しく且つ直線状の第一辺及び第二辺と、直線状又は円弧状の第三辺と、を有し、第一辺と第二辺の一端側の間隔が狭く且つ他端側の間隔が広くなるように第一辺と第二辺が傾いており、略線対象である形状の商品陳列具であり、
該商品陳列具の商品陳列面に形成され、他の商品陳列具の嵌合用凸部が嵌合する嵌合用凹部を３つ有し、該嵌合用凹部の形成位置が、商品陳列面を平面視したときの第一辺と第二辺の端部近傍と、第一辺と第三辺の端部近傍と、第二辺と第三辺の端部近傍であり、
該商品陳列具の下側に形成され、他の商品陳列具の嵌合用凹部に嵌合する嵌合用凸部を３つ有し、該嵌合用凸部の形成位置が、商品陳列具を底面視したときの第一辺と第二辺の端部近傍と、第一辺と第三辺の端部近傍と、第二辺と第三辺の端部近傍であり、
該商品陳列具の下側に、補助支持部材が係合する補助支持部材用係合部を有すること、
を特徴とする商品陳列具である。
【００１４】
本発明の商品陳列具（１）について、図１〜図１３を参照して説明する。図１は、本発明の商品陳列具（１）の形態例の模式的な斜視図である。図２−１及び図２−２は、図１に示す商品陳列具の（Ａ）平面図、（Ｂ）底面図、（Ｃ）側面図、（Ｄ）正面図、（Ｅ）背面図である。図３は、図１に示す商品陳列具の断面図であり、図２（Ａ）のｘ−ｘ線で切った断面図である。図４は、図１に示す商品陳列具の使用形態例を示す図であり、４つの商品陳列具を用いる組み立て体の斜視図であり、（Ａ）と（Ｂ）はそれぞれ見る位置を変えた見たときの組み立て体の図である。図５は、図４に示す組み立て体の側面図である。図６〜図９は、図１に示す商品陳列具の使用形態例を示す図であり、４つの商品陳列具を用いる組み立て体の斜視図であり、（Ａ）と（Ｂ）はそれぞれ見る位置を変えた見たときの組み立て体の図である。図１０は、本発明の商品陳列具（１）の形態例の模式的な平面図である。図１１は、本発明の商品陳列具（１）の形態例の模式的な平面図である。図１２は、本発明の商品陳列具（１）の形態例を示す模式図であり、（Ａ）側面図、（Ｂ）平面図、（Ｃ）底面図である。図１３は、本発明の商品陳列具（１）の形態例を示す模式図であり、（Ａ）側面図、（Ｂ）平面図、（Ｃ）底面図である。
【００１５】
図１〜図３中、商品陳列具１は、商品陳列用平板２と、側板３と、からなる。商品陳列用平板２の上面側が、商品陳列面６である。商品陳列具１は、この商品陳列面６に、商品陳列面６より凹んでいる嵌合用凹部５ａ、５ｂ、５ｃを有する。また、商品陳列具１は、商品陳列具１の下側に、商品陳列具１の下端８より突出している嵌合用凸部４ａ、４ｂ、４ｃを有する。この嵌合用凸部４の内側には、補助支持部材用係合部７ａ、７ｂ、７ｃが形成されている。
【００１６】
商品陳列面６の形状は、平面視したとき（商品陳列面６側から見たとき（上から見たとき））に、略扇形であり、長さが略等しく且つ直線状の第一辺１１ａ及び第二辺１２ａと、円弧状の第三辺１３ａと、を有する形状である。第一辺１１ａと第二辺１２ａは、一端側（第三辺１３ａとは反対側の端）の間隔が狭く且つ他端側（第三辺１３ａ側の端）の間隔が広くなるように傾いている。そして、商品陳列面６の形状は、略線対象である。
【００１７】
嵌合用凹部５は、他の商品陳列具１の嵌合用凸部４が嵌合するための嵌合用の凹部である。嵌合用凹部５の形成位置は、商品陳列面を平面視したときの第一辺１１ａと第二辺１２ａの端部近傍と、第一辺１１ａと第三辺１３ａの端部近傍と、第二辺１２ａと第三辺１３ａの端部近傍である。
【００１８】
なお、本発明において、第一辺と第二辺の端部近傍とは、第二辺側の第一辺の端部近傍且つ第一辺側の第二辺の端部近傍のことであり、また、第一辺と第三辺の端部近傍とは、第三辺側の第一辺の端部近傍且つ第一辺側の第三辺の端部近傍のことであり、また、第二辺と第三辺の端部近傍とは、第三辺側の第二辺の端部近傍且つ第二辺側の第三辺の端部近傍のことである。以下、同様である。
【００１９】
商品陳列具１では、商品陳列用平板２に貫通孔が開けられ、その貫通孔に、側面が円筒状且つ底面が円形の凹部用凹み部材１０１が嵌め込まれることにより、嵌合用凹部５が形成されている。
【００２０】
嵌合用凸部４は、他の商品陳列具１の嵌合用凹部５に嵌合する凸部である。この嵌合用凸部４の形成位置は、商品陳列具１を底面視したとき（商品陳列面６とは反対側から見たとき（下から見たとき））の第一辺１１ａと第二辺１２ａの端部近傍と、第一辺１１ａと第三辺１３ａの端部近傍と、第二辺１２ａと第三辺１３ａの端部近傍である。
【００２１】
商品陳列具１では、円筒状の凸部用円筒部材１０２が、その下側が、側板３の下側より突出するように、凹部用凹み部材１０１の裏面に固定されることにより、嵌合用凸部４が形成されている。なお、凹部用凹み部材１０１及び凸部用円筒部材１０２は、固定強度の向上を目的として、商品陳列用平板２及び側板３の裏側に形成されている補強リブにも固定されていてもよい。
【００２２】
補助支持部材用係合部７は、商品陳列具１を複数組み立てたときに、各商品陳列具１を下側から支持するための補助支持部材が係合する係合部である。商品陳列具１では、補助支持部材の先端が、補助支持部材用係合部７に差し込まれ又は捻じ込まれて、商品陳列具１の下側に補助支持部材が設置されることにより、補助支持部材が商品陳列具１を下側から支持する。
【００２３】
商品陳列具１は、例えば、図４及び図５に示すように、組み立てられる。図４中、組み立て体１０ａでは、商品陳列具１ａの嵌合用凹部５ａに、商品陳列具１ｂの嵌合用凸部４ａが嵌合し、且つ、商品陳列具１ａの嵌合用凹部５ｃに、商品陳列具１ｂの嵌合用凸部４ｂが嵌合し、以降、同様に、商品陳列具１の商品陳列面６の円弧側が一つ下の商品陳列具１の商品陳列面６の円弧側と同じ側になるように、商品陳列具１の嵌合用凹部５に、商品陳列具１の嵌合用凸部４が嵌合することにより、４つ商品陳列具１ａ〜１ｄが組み立てられる。このとき、商品陳列具１ｂの下側（嵌合用凸部４ｃの下側の内側）に形成されている補助支持部材用係合部に、補助支持部材１５ａが設置され、商品陳列具１ｃの下側（嵌合用凸部４ｃの下側の内側）に形成されている補助支持部材用係合部に、補助支持部材１５ｂが設置され、商品陳列具１ｄの下側（嵌合用凸部４ｃの下側の内側）に形成されている補助支持部材用係合部に、補助支持部材１５ｃが設置されることにより、商品陳列具１ｂ〜１ｄは補助支持部材１５により下側から支持される。
【００２４】
図４及び図５に示す商品陳列具１の使用形態例では、右回りで上昇していく螺旋階段状の陳列面が形成される。なお、図４及び図５に示す商品陳列具１の使用形態例は、商品陳列具１の数が４つの場合であるが、それよりも商品陳列具１の数を増やすことも、減らすこともできる。
【００２５】
商品陳列具１の他の使用形態例としては、図６に示す使用形態例が挙げられる。図６中、組み立て体１０ｂでは、商品陳列具１ａの嵌合用凹部５ａに、商品陳列具１ｂの嵌合用凸部４ａが嵌合し、且つ、商品陳列具１ａの嵌合用凹部５ｂに、商品陳列具１ｂの嵌合用凸部４ｃが嵌合し、以降、同様に、商品陳列具１の商品陳列面６の円弧側が一つ下の商品陳列具１の商品陳列面６の円弧側と同じ側になるように、商品陳列具１の嵌合用凹部５に、商品陳列具１の嵌合用凸部４が嵌合することにより、４つ商品陳列具１ａ〜１ｄが組み立てられる。このように商品陳列具１が組み立てられることにより、図６に示す商品陳列具１の使用形態例では、左回りで上昇していく螺旋階段状の陳列面が形成される。なお、図６に示す使用形態例でも、補助支持部材用係合部７に、補助支持部材が係合し、補助支持部材により、商品陳列具が下側から支持されるが、図６では、補助支持部材の記載を省略した。また、図６に示す商品陳列具１の使用形態例は、商品陳列具１の数が４つの場合であるが、それよりも商品陳列具１の数を増やすことも、減らすこともできる。
【００２６】
また、商品陳列具１の他の使用形態例としては、図７に示す使用形態例が挙げられる。図７中、組み立て体１０ｃでは、商品陳列具１ａの嵌合用凹部５ａに、商品陳列具１ｂの嵌合用凸部４ｃが嵌合し、且つ、商品陳列具１ａの嵌合用凹部５ｃに、商品陳列具１ｂの嵌合用凸部４ａが嵌合し、また、商品陳列具１ｂの嵌合用凹部５ａに、商品陳列具１ｃの嵌合用凸部４ｂが嵌合し、且つ、商品陳列具１ｂの嵌合用凹部５ｂに、商品陳列具１ｃの嵌合用凸部４ａが嵌合し、以降、同様に、商品陳列具１の商品陳列面６の円弧側が、交互に反対側になるように、商品陳列具１の嵌合用凹部５に、商品陳列具１の嵌合用凸部４が嵌合することにより、商品陳列具１が組み立てられる。このように商品陳列具１が組み立てられることにより、図７に示す商品陳列具１の使用形態例では、ジグザグに上昇していくような陳列面が形成される。なお、図７に示す使用形態例でも、補助支持部材用係合部７に、補助支持部材が係合し、補助支持部材により、商品陳列具が下側から支持されるが、図７では、補助支持部材の記載を省略した。また、図７に示す商品陳列具１の使用形態例は、商品陳列具１の数が４つの場合であるが、それよりも商品陳列具１の数を増やすことも、減らすこともできる。
【００２７】
また、商品陳列具１の他の使用形態例としては、図８に示す使用形態例が挙げられる。図８中、組み立て体１０ｄでは、先ず、商品陳列具１の商品陳列面６の円弧側が同じ側になるように、２つの商品陳列具１が組み立てられ、次いで、円弧側が反対になるように２つの商品陳列具１が組み立てられる。このように商品陳列具１が組み立てられることにより、図８に示す商品陳列具１の使用形態例では、Ｓ字状に上昇していく階段状の陳列面が形成される。なお、図８に示す使用形態例でも、補助支持部材用係合部７に、補助支持部材が係合し、補助支持部材により、商品陳列具１は下側から支持されるが、図８では、補助支持部材の記載を省略した。また、図８に示す商品陳列具１の使用形態例は、商品陳列具１の数が２つごとに円弧側が入れ替わる場合であるが、それよりも商品陳列具１の数を増やすことも、減らすこともできる。
【００２８】
また、商品陳列具１の他の使用形態例としては、図９に示す使用形態例が挙げられる。図９中、組み立て体１０ｅでは、商品陳列具１の円弧側同士の嵌合と、頂点側同士の嵌合が繰り返されるように、商品陳列具１が組み立てられる。このように商品陳列具１が組み立てられることにより、図９に示す商品陳列具１の使用形態例では、横長にＵｐ−Ｄｏｗｎする陳列面が形成される。なお、図９に示す使用形態例でも、補助支持部材用係合部７に、補助支持部材が係合し、補助支持部材により、商品陳列具１が下側から支持されるが、図９では、補助支持部材の記載を省略した。また、図９に示す商品陳列具１の使用形態例は、商品陳列具１の数が５つの場合であるが、それよりも商品陳列具１の数を増やすことも、減らすこともできる。
【００２９】
このように、本発明の商品陳列具（１）は、商品陳列面の形状が、長さが略等しく且つ直線状の第一辺及び第二辺と、直線状又は円弧状の第三辺と、を有し、第一辺と第二辺の一端側の間隔が狭く且つ他端側の間隔が広くなるように第一辺と第二辺が傾いており、略線対象である形状の商品陳列具であり、
該商品陳列具の商品陳列面に形成され、他の商品陳列具の嵌合用凸部が嵌合する嵌合用凹部を３つ有し、該嵌合用凹部の形成位置が、商品陳列面を平面視したときの第一辺と第二辺の端部近傍と、第一辺と第三辺の端部近傍と、第二辺と第三辺の端部近傍であり、
該商品陳列具の下側に形成され、他の商品陳列具の嵌合用凹部に嵌合する嵌合用凸部を３つ有し、該嵌合用凸部の形成位置が、商品陳列具を底面視したときの第一辺と第二辺の端部近傍と、第一辺と第三辺の端部近傍と、第二辺と第三辺の端部近傍であり、
該商品陳列具の下側に、補助支持部材が係合する補助支持部材用係合部を有すること、
を特徴とする商品陳列具である。
【００３０】
本発明の商品陳列具（１）において、商品陳列面の形状は、商品陳列面を平面視したとき（商品陳列面側から見たとき（上から見たとき））に、第一辺と第二辺は、長さが略等しく且つ直線状である。そして、第一辺と第二辺の一端側（第三辺とは反対側の端同士）の間隔が狭く、且つ、第一辺と第二辺の他端側（第三辺側の端同士）の間隔が広くなるように、傾いている。また、第三辺は、円弧状又は直線状である。
【００３１】
そして、商品陳列面の平面形状は、略線対象である。例えば、図１０に示す形態例では、商品陳列具１の平面形状は、対象軸４５を軸として線対象である。
【００３２】
第一辺と第二辺がなす角は、特に制限されないが、好ましくは１５〜６０°、特に好ましくは１５〜４５°、更に好ましくは２０〜４０°、より好ましくは２５〜３５°である。第一辺と第二辺がなす角が上記範囲であることにより、陳列面の変形形態を多くすることができる。
【００３３】
なお、本発明において、第一辺と第二辺がなす角とは、第一辺の延長線と第二辺の延長線の交点を中心としたときの中心角である。例えば、図１０に示す形態例では、第一辺と第二辺がなす角は、第一辺１１ａの延長線と第二辺１２ａの延長線の交点４６を中心としたときの中心角４９である。
【００３４】
商品陳列面の形状は、図１〜図１０に示す形態例では、略扇形であるが、長さが略等しく且つ直線状の第一辺及び第二辺と、直線状又は円弧状の第三辺と、を有し、第一辺と第二辺の一端側の間隔が狭く且つ他端側の間隔が広くなるように第一辺と第二辺が傾いており、略線対象な形状であれば、特に制限されず、例えば、図１１の（Ａ）のような略扇形、（Ｂ）のような第三辺４１が直線状である形状、すなわち、略二等辺三角形、（Ｃ）のような第三辺４２が扇形の円弧より曲率が小さい円弧である形状、（Ｄ）のような第三辺４３が扇形の円弧より曲率が大きい円弧である形状等が挙げられる。そして、商品陳列面の形状は、好ましくは略扇形である。
【００３５】
なお、本発明において、第一辺から第二辺に繋がる部分（図１０中、符号４７１で示す部分）の形状、第一辺から第三辺に繋がる部分（図１０中、符号４７２で示す部分）の形状、及び第二辺から第三辺に繋がる部分（図１０中、符号４７３で示す部分）の形状は、特に制限されず、例えば、１つ円弧状であっても、１つの直線状であっても、複数の円弧が組み合わされた形状であっても、複数の直線が組み合わされた形状であってもよい。また、第一辺と第二辺が直接繋がっていてもよいし、第一辺と第二辺が直接繋がっていてもよいし、第二辺と第三辺が直接繋がっていてもよい。
【００３６】
本発明の商品陳列具（１）は、商品陳列具の商品陳列面に形成され、他の商品陳列具の嵌合用凸部が嵌合する嵌合用凹部を３つ有する。嵌合用凹部は、商品陳列面より凹んでいる凹部であり、他の商品陳列具の嵌合用凸部が嵌合することができる凹部であればよい。嵌合用凹部の平面形状は、図１〜図３に示す形態例では、円形であるが、これに制限されず、他の形状であってもよい。そのうち、嵌合用凹部の平面形状は、円形であることが好ましい。また、嵌合用凹部は、図１〜図３に示す形態例では、商品陳列用平板に貫通孔が空けられ、その貫通孔に凹部用凹み部材が嵌め込まれることにより形成されているが、これに制限されず、他には、例えば、商品陳列用平板に空けられた貫通孔や、商品陳列用平板が厚い場合には、商品陳列用平板の厚み方向の途中まで掘られた凹み等が挙げられる。
【００３７】
嵌合用凹部の形成位置は、商品陳列面を平面視したときの第一辺と第二辺の端部近傍と、第一辺と第三辺の端部近傍と、第二辺と第三辺の端部近傍である。そのため、本発明の商品陳列具（１）には、商品陳列面を平面視したときに、商品陳列面の三隅に嵌合用凹部が形成されている。
【００３８】
本発明の商品陳列具（１）は、商品陳列具の下側に形成され、他の商品陳列具の嵌合用凹部に嵌合する嵌合用凸部を３つ有する。嵌合用凸部は、商品陳列具の下側より突出している凸部であり、他の商品陳列具の嵌合用凹部に嵌合することができる凸部であればよい。なお、本発明において、商品陳列具の下側とは、商品陳列具のうちの嵌合用凸部以外の部分で、最も下にある部分を指し、つまり、嵌合用凸部以外の部分における商品陳列具の下端を指し、例えば、図１〜図３に示す形態例では、側板の下端であり、また、後述する図１２に示す形態例では、商品陳列用平板の裏面（商品陳列面とは反対側の面）の位置である。また、嵌合用凸部は、図１〜図３に示す形態例では、嵌合用凸部の裏面に円筒状の凸部用円筒部材を固定することにより形成されているが、これに制限されず、他には、例えば、商品陳列用平板の裏面に形成された突起等が挙げられる。
【００３９】
嵌合用凸部の形成位置は、商品陳列具を底面視したときの第一辺と第二辺の端部近傍と、第一辺と第三辺の端部近傍と、第二辺と第三辺の端部近傍である。そのため、本発明の商品陳列具（１）には、商品陳列具を底面視したときに、商品陳列具の三隅に嵌合用凸部が形成されている。そして、２つの商品陳列具の輪郭が重なるように、商品陳列具を上下から重ねたときに、商品陳列具の３つの嵌合用凸部が、他の商品陳列具の３つの嵌合用凹部に嵌合できる位置に、嵌合用凸部が形成されている。
【００４０】
本発明の商品陳列具（１）では、商品陳列具の下側に、補助支持部材が係合する補助支持部材用係合部を有する。なお、補助支持部材とは、複数の商品陳列具が組み立てられるときに、商品陳列具の下側に設置され、商品陳列具を下側から支持するための部材である。補助支持部材用係合部は、図１〜図３に示す形態例では、嵌合用凸部の下側且つ内側に形成されている穴であり、補助支持部材の先端が指し込まれる穴であるが、これに限定されるものではない。補助支持部材用係合部としては、他に、例えば、嵌合用凸部の下側且つ内側に形成されているネジ穴であり、補助支持部材の先端に形成されているネジ山がネジ込まれるネジ穴や、補助支持部材の先端が当接する凹みや、嵌合用凸部の下側且つ外側に形成されているネジ山であり、補助支持部材の先端に形成されているネジ穴がネジ込まれるネジ山等が挙げられる。また、補助支持部材の先端に、嵌合用凸部が嵌合する嵌合部材が付設されている場合には、嵌合用凸部が、補助支持部材用係合部も兼ねる。
【００４１】
補助支持部材用係合部の形成位置は、複数の商品陳列具が組み立てられたときに、各商品陳列具を下側から支持することができる位置であればよい。そして、補助支持部材用係合部が、嵌合用凸部の内側に形成されていることが好ましい。
【００４２】
図１〜図３に示す形態例は、厚さが比較的薄い商品陳列用平板と、側板と、からなり、商品陳列用平板に空けられた貫通孔に凹部用凹み部材が嵌め込まれることにより形成されている嵌合用凹部と、下側が側板の下端から突出するように凸部用円筒部材が凹部用凹み部材の裏面に固定されることにより形成されている嵌合用凸部と、を有する商品陳列具であるが、これに制限されるものではない。本発明の商品陳列具（１）の他の形態例としては、例えば、図１２に示す商品陳列具２１が挙げられる。商品陳列具２１は、厚さが比較的厚い商品陳列用平板２２からなり、商品陳列用平板２２の商品陳列面２６側に形成されており、他の商品陳列具の凸部が嵌合する凹み２５と、商品陳列用平板２２の裏面２９側に形成されており、他の商品陳列具の凹部に嵌合する凸部２４と、を有し、凸部２４の内側に、補助支持部材用係合部２７が形成されている。なお、図１２（Ａ）では、商品陳列用平板２２に形成されている凹部２５、及び凸部２４の内側に形成されている補助支持部材用係合部２７を、点線で示している。
【００４３】
また、本発明の商品陳列具（１）の他の形態例としては、例えば、図１３に示す商品陳列具３１が挙げられる。商品陳列具３１は、厚さが比較的厚い商品陳列用平板３２からなり、商品陳列用平板３２の商品陳列面３６側に形成されており、他の商品陳列具の脚部の下側が嵌合する凹み３５と、商品陳列用平板３２の裏面３９側に形成されており、他の商品陳列具の凹みに下側部分が嵌合する脚部３４と、を有し、脚部３４の内側に、補助支持部材用係合部３７が形成されている。なお、図１３（Ａ）では、商品陳列用平板３２に形成されている凹部３５、及び脚部３４の内側に形成されている補助支持部材用係合部３７を、点線で示している。
【００４４】
商品陳列具２１及び商品陳列具３１の使用形態例は、商品陳列具１の使用形態例と同様である。
【００４５】
本発明の第二の形態の商品陳列具（以下、本発明の商品陳列具（２）とも記載する。）は、商品陳列面の形状が、長さが略等しく且つ直線状の第一辺及び第二辺と、直線状又は円弧状の第三辺と、を有し、第一辺と第二辺の一端側の間隔が狭く且つ他端側の間隔が広くなるように第一辺と第二辺が傾いており、略線対象である形状の商品陳列具であり、
該商品陳列具の商品陳列面に形成され、他の商品陳列具の嵌合用凸部が嵌合する嵌合用凹部を１つ有し、該嵌合用凹部の形成位置が、商品陳列面を平面視したときの第一辺と第二辺の端部近傍であり、
該商品陳列具の下側に形成され、他の商品陳列具の嵌合用凹部に嵌合する嵌合用凸部を１つ有し、該嵌合用凸部の形成位置が、商品陳列具を底面視したときの第一辺と第二辺の端部近傍であり、
該商品陳列具の下側に、補助支持部材が係合する補助支持部材用係合部を有すること、
を特徴とする商品陳列具である。
【００４６】
本発明の商品陳列具（２）について、図１４〜図１８を参照して説明する。図１４は、本発明の商品陳列具（２）の形態例の模式的な斜視図である。図１５−１及び図１５−２は、図１４に示す商品陳列具の（Ａ）平面図、（Ｂ）底面図、（Ｃ）側面図、（Ｄ）正面図、（Ｅ）背面図である。図１６は、図１４に示す商品陳列具の断面図であり、図１５（Ａ）のｘ−ｘ線で切った断面図である。図１７は、図１４に示す商品陳列具の使用形態例を示す図であり、４つの商品陳列具を用いる組み立て体の斜視図である。図１８は、図１７に示す組み立て体の側面図である。
【００４７】
図１４〜図１６中、商品陳列具５１は、商品陳列用平板５２と、側板５３と、からなる。商品陳列用平板５２の上面側が、商品陳列面５６である。商品陳列具５１は、商品陳列面５６に、商品陳列面５６より凹んでいる嵌合用凹部５５を有する。また、商品陳列具５１は、商品陳列具５１の下側に、商品陳列具５１の下端５８より突出している嵌合用凸部５４を有する。
【００４８】
商品陳列面５６の形状は、平面視したときに、略扇形であり、長さが略等しく且つ直線状の第一辺６１ａ及び第二辺６２ａと、円弧状の第三辺６３ａと、を有する形状である。第一辺６１ａと第二辺６２ａは、一端側（第三辺６３ａとは反対側の端）の間隔が狭く且つ他端側（第三辺６３ａ側の端）の間隔が広くなるように傾いており、略線対象である。
【００４９】
嵌合用凹部５５は、他の商品陳列具５１の嵌合用凸部５４が嵌合するための嵌合用の凹部である。嵌合用凹部５５の形成位置は、商品陳列面を平面視したときの第一辺６１ａと第二辺６２ａの端部近傍である。
【００５０】
商品陳列具５１では、商品陳列用平板５２に貫通孔が開けられ、その貫通孔に、側面が円筒状且つ底面が円形の凹部用凹み部材１５１が嵌め込まれることにより、嵌合用凹部５５が形成されている。
【００５１】
嵌合用凸部５４は、他の商品陳列具５１の嵌合用凹部５５に嵌合する凸部である。この嵌合用凸部５４の形成位置は、商品陳列具５１を底面視したときの第一辺６１ａと第二辺６２ａの端部近傍である。
【００５２】
商品陳列具５１では、円柱状の凸部用円筒材１５２が、その下側が、側板５３の下側より突出するように、凹部用凹み部材１５１の裏側に固定されることにより、嵌合用凸部５４が形成されている。
【００５３】
補助支持部材用係合部５７は、商品陳列具５１を複数組み立てたときに、商品陳列具５１を下側から支持するための補助支持部材が係合する係合部である。商品陳列具５１では、補助支持部材の先端が、補助支持部材用係合部５７に差し込まれ又は捻じ込まれて、商品陳列具１の下側に補助支持部材が設置されることにより、補助支持部材が商品陳列具５１を下側から支持する。商品陳列具５１では、内側に補助支持部材用係合部５７ｂ、５７ｃが形成されている補助支持部材係合用部材５９が、商品陳列面を底面視したときの第一辺６１ａと第三辺６３ａの端部近傍及び第二辺６２ａと第三辺６３ａの端部近傍の側板５３の内側に、下端の位置が側板５３の下端より下にならないように固定されている。
【００５４】
商品陳列具５１は、例えば、図１７及び図１８に示すように、組み立てられる。図１７中、組み立て体６０では、商品陳列具５１ａの嵌合用凹部５５に、商品陳列具１ｂの嵌合用凸部５４が嵌合し、且つ、商品陳列具５１ａの商品陳列面５６の第二辺６２ａ側に、商品陳列具５１ｂの第一辺６１ａ側の下側が重なり、以降、同様に、商品陳列具５１の商品陳列面５６の円弧側が一つ下の商品陳列具５１の商品陳列面５６の円弧側と同じ側になるように、商品陳列具５１の嵌合用凹部５５に、商品陳列具５１の嵌合用凸部５４が嵌合し、且つ、商品陳列具５１の商品陳列面５６の第二辺側６２ａに、商品陳列具５１の第一辺６１ａ側の下側が重なることにより、４つ商品陳列具５１ａ〜５１ｄが組み立てられる。このとき、商品陳列具５１ｂの下側に形成されている補助支持部材用係合部に、補助支持部材６５ａが設置され、商品陳列具５ｃの下側に形成されている補助支持部材用係合部に、補助支持部材６５ｂが設置され、商品陳列具５１ｄの下側に形成されている補助支持部材用係合部に、補助支持部材６５ｃが設置されることにより、商品陳列具５１ｂ〜５１ｄは補助支持部材６５により下側から支持される。
【００５５】
図１７及び図１８に示す商品陳列具５１の使用形態例では、右回りで上昇していく螺旋階段状の陳列面が形成される。なお、図１７及び図１８に示す商品陳列具５１の使用形態例は、商品陳列具５１の数が４つの場合であるが、それよりも商品陳列具５１の数を増やすことも、減らすこともできる。
【００５６】
商品陳列具５１では、嵌合するのは、第一辺６１ａと第二辺６２ａの端部近傍の嵌合用凹部５５と、第一辺６１ａと第二辺６２ａの端部近傍の嵌合用凸部５４だけなので、複数の商品陳列具５１が組み立てられるときに、商品陳列具５１同士の重なり度合いを、言い換えると、１つ上の商品陳列具５１に重なっていない商品陳列面５６の面積を、商品陳列面５１の面積の範囲内で変化させることができる。
【００５７】
また、商品陳列具５１の他の使用形態例としては、商品陳列具５１の嵌合用凹部５５に、他の商品陳列具５１の嵌合用凸部５４が嵌合し、且つ、下側の商品陳列具５１の商品陳列面５６の第一辺６１ａ側に、上側の商品陳列具５１の第二辺６２ａ側の下側が重なり、以降、同様に、商品陳列具５１の商品陳列面５６の円弧側が一つ下の商品陳列具５１の商品陳列面５６の円弧側と同じ側になるように、商品陳列具５１の嵌合用凹部５５に、商品陳列具５１の嵌合用凸部５４が嵌合し、且つ、商品陳列具５１の商品陳列面５６の第一辺側６１ａに、商品陳列具５１の第二辺６２ａ側の下側が重なることにより、４つ商品陳列具５１ａ〜５１ｄが組み立てられる。このように商品陳列具５１が組み立てられることにより、左回りで上昇していく螺旋階段状の陳列面が形成される。なお、このような使用形態例でも、補助支持部材用係合部５７に、補助支持部材が係合し、補助支持部材により、商品陳列具が下側から支持される。
【００５８】
このように、本発明の商品陳列具（２）は、商品陳列面の形状が、長さが略等しく且つ直線状の第一辺及び第二辺と、直線状又は円弧状の第三辺と、を有し、第一辺と第二辺の一端側の間隔が狭く且つ他端側の間隔が広くなるように第一辺と第二辺が傾いており、略線対象である形状の商品陳列具であり、
該商品陳列具の商品陳列面に形成され、他の商品陳列具の嵌合用凸部が嵌合する嵌合用凹部を１つ有し、該嵌合用凹部の形成位置が、商品陳列面を平面視したときの第一辺と第二辺の端部近傍であり、
該商品陳列具の下側に形成され、他の商品陳列具の嵌合用凹部に嵌合する嵌合用凸部を１つ有し、該嵌合用凸部の形成位置が、商品陳列具を底面視したときの第一辺と第二辺の端部近傍であり、
該商品陳列具の下側に、補助支持部材が係合する補助支持部材用係合部を有すること、
を特徴とする商品陳列具である。
【００５９】
本発明の商品陳列具（２）の商品陳列面の平面形状は、本発明の商品陳列具（１）の商品陳列面の平面形状と同様である。
【００６０】
本発明の商品陳列具（２）は、商品陳列具の商品陳列面に形成され、他の商品陳列具の嵌合用凸部が嵌合する嵌合用凹部を１つ有する。嵌合用凹部は、商品陳列面より凹んでいる凹部であり、他の商品陳列具の嵌合用凸部が嵌合することができる凹部であればよい。嵌合用凹部の平面形状は、図１４〜図１６に示す形態例では、円形であるが、これに制限されず、他の形状であってもよい。そのうち、嵌合用凹部の平面形状は、円形であることが、商品陳列具同士の重なり度合いを、自由に変化させることができる点で好ましく、また、多角形であることが、商品陳列具同士の重なり度合いを、一定の割合に固定し易くなる点で好ましい。また、嵌合用凹部は、図１４〜図１６に示す形態例では、商品陳列用平板に貫通孔が空けられ、その貫通孔に凹部用凹み部材が嵌め込まれることにより形成されているが、これに制限されず、他には、例えば、商品陳列用平板に空けられた貫通孔や、商品陳列用平板が厚い場合には、商品陳列用平板の厚み方向の途中まで掘られた凹み等が挙げられる。
【００６１】
嵌合用凹部の形成位置は、商品陳列面を平面視したときの第一辺と第二辺の端部近傍である。そのため、本発明の商品陳列具（２）では、商品陳列面を平面視したときに、商品陳列面の第一辺及び第二辺側の隅に嵌合用凹部が形成されている。
【００６２】
本発明の商品陳列具（２）は、商品陳列具の下側に形成され、他の商品陳列具の嵌合用凹部に嵌合する嵌合用凸部を有する。嵌合用凸部は、商品陳列具の下側より突出している凸部であり、他の商品陳列具の嵌合用凹部に嵌合することができる凸部であればよい。なお、本発明において、商品陳列具の下側とは、商品陳列具のうちの嵌合用凸部以外の部分で、最も下にある部分を指し、つまり、嵌合用凸部以外の部分における商品陳列具の下端を指し、例えば、図１４〜図１６に示す形態例では、側板の下端であり、また、後述する図１９に示す形態例では、商品陳列用平板の裏面（商品陳列面とは反対側の面）の位置である。また、嵌合用凸部は、図１４〜図１６に示す形態例では、凹部用凹み部材の裏側に凸部用円筒部材を固定することにより形成されているが、これに制限されず、他には、例えば、商品陳列用平板の裏面に形成された突起等が挙げられる。
【００６３】
嵌合用凸部の形成位置は、商品陳列具を底面視したときの第一辺と第二辺の端部近傍である。そのため、本発明の商品陳列具（２）には、商品陳列具を底面視したときに、第一辺と第二辺の隅に嵌合用凸部が形成されている。そして、２つの商品陳列具の輪郭が重なるように、商品陳列具を上下から重ねたときに、商品陳列具の嵌合用凸部が、他の商品陳列具の嵌合用凹部に嵌合できる位置に、嵌合用凸部が形成されている。
【００６４】
本発明の商品陳列具（２）では、商品陳列具の下側に、補助支持部材が係合する補助支持部材用係合部を有する。なお、補助支持部材とは、複数の商品陳列具が組み立てられるときに、商品陳列具の下側に設置され、商品陳列具を下側から支持するための部材である。補助支持部材用係合部は、図１４〜図１６に示す形態例では、補助支持部材係合用部材の下側且つ内側に形成されている穴であり、補助支持部材の先端が指し込まれる穴であるが、これに限定されるものではない。補助支持部材用係合部としては、他に、例えば、補助支持部材係合用部材の下側且つ内側に形成されているネジ穴であり、補助支持部材の先端に形成されているネジ山がネジ込まれるネジ穴や、補助支持部材の先端が当接する凹みや、補助支持部材係合用部材の下側且つ外側に形成されているネジ山であり、補助支持部材の先端に形成されているネジ穴にネジ込まれるネジ山等が挙げられる。
【００６５】
補助支持部材用係合部の形成位置は、複数の商品陳列具が組み立てられたときに、商品陳列具を下側から支持することができる位置であればよい。そして、補助支持部材用係合部が、商品陳列具を底面視したときに、第一辺と第三辺の端部近傍又は第二辺と第三辺の端部近傍のいずれか一方、あるいは、第一辺と第三辺の端部近傍及び第二辺と第三辺の端部近傍の両方に形成されていることが好ましい。
【００６６】
図１４〜図１６に示す形態例は、厚さが比較的薄い商品陳列用平板と、側板と、商品陳列用平板に空けられた貫通孔に凹部用凹み部材が嵌め込まれることにより形成されている嵌合用凹部と、下側が側板の下端から突出するように凸部用円筒部材が凹部用凹み部材の裏側に固定されることにより形成されている嵌合用凸部と、下端が側壁の下端より下にならないように補助支持部材係合用部材が側板の内側に固定されることにより形成されている補助支持部材用係合部と、からなる商品陳列具であるが、これに制限されるものではない。本発明の商品陳列具（２）の他の形態例としては、例えば、図１９に示す商品陳列具７１が挙げられる。図１９は、本発明の商品陳列具（２）の形態例の模式図であり、（Ａ）側面図、（Ｂ）平面図、（Ｃ）底面図である。商品陳列具７１は、厚さが比較的厚い商品陳列用平板７２と、商品陳列用平板７２の商品陳列面７６側に形成されており、他の商品陳列具の凸部が嵌合する凹み７５と、商品陳列用平板７２の裏面７９側に形成されており、他の商品陳列具の凹部に嵌合する凸部７４と、商品陳列用平板７２の裏面７９側に形成されている凹部であり、補助支持部材が係合する補助支持部材用係合部７７と、からなる。なお、図１２（Ａ）では、商品陳列用平板７２に形成されている凹み７５及び補助支持部材用係合部７７を、点線で示している。
【００６７】
また、本発明の商品陳列具（２）の他の形態例としては、例えば、図２０に示す商品陳列具８１が挙げられる。図２０は、本発明の商品陳列具（２）の形態例の模式図であり、（Ａ）側面図であり、（Ｂ）平面図、（Ｃ）底面図である。商品陳列具８１は、厚さが比較的厚い商品陳列用平板８２と、商品陳列用平板８２の商品陳列面８６側に形成されており、他の商品陳列具の第一脚部の下側が嵌合する凹み８５と、商品陳列用平板８２の裏面８９側に形成されており、他の商品陳列具の凹みに下側部分が嵌合する第一脚部８４と、下側且つ内側に補助支持部材用係合部８７が形成されている第二脚部８３と、からなる。商品陳列具８１では、第一脚部８４と第二脚部８３の長さの差（符号９０）が、凹み８５の深さと等しくなっている。なお、図２０（Ａ）では、商品陳列用平板８２に形成されている凹み８５及び第二脚部８３に形成されている補助支持部材用係合部８７を、点線で示している。
【００６８】
商品陳列具７１及び商品陳列具８１の使用形態例は、商品陳列具５１の使用形態例と同様である。
【００６９】
本発明の第三の形態の商品陳列具（以下、本発明の商品陳列具（３）とも記載する。）は、商品陳列面の形状が、長さが略等しく且つ直線状の第一辺及び第二辺と、直線状又は円弧状の第三辺と、を有し、第一辺と第二辺の一端側の間隔が狭く且つ他端側の間隔が広くなるように第一辺と第二辺が傾いており、略線対象である形状の商品陳列具であり、
該商品陳列具の商品陳列面に形成され、他の商品陳列具の嵌合用凸部が嵌合する嵌合用凹部を２つ有し、該嵌合用凹部の形成位置が、商品陳列面を平面視したときの第一辺と第二辺の端部近傍と、第一辺と第三辺の端部近傍又は第二辺と第三辺の端部近傍のいずれか一方と、であり、
該商品陳列具の下側に形成され、他の商品陳列具の嵌合用凹部に嵌合する嵌合用凸部を２つ有し、該嵌合用凸部の形成位置が、商品陳列具を底面視したときの第一辺と第二辺の端部近傍と、第一辺と第三辺の端部近傍又は第二辺と第三辺の端部近傍のいずれか一方と、であり、
該商品陳列具の下側に、補助支持部材が係合する補助支持部材用係合部を有すること、
を特徴とする商品陳列具である。
【００７０】
本発明の商品陳列具（３）の商品陳列面の平面形状は、本発明の商品陳列具（１）の商品陳列面の平面形状と同様である。
【００７１】
本発明の商品陳列具（３）は、商品陳列具の商品陳列面に形成され、他の商品陳列具の嵌合用凸部が嵌合する嵌合用凹部を２つ有する。嵌合用凹部は、商品陳列面より凹んでいる凹部であり、他の商品陳列具の嵌合用凸部が嵌合することができる凹部であればよい。嵌合用凹部の平面形状は、円形であってもよいし、他の形状であってもよい。そのうち、嵌合用凹部の平面形状は、円形であることが好ましい。また、嵌合用凹部としては、図１〜図３に示す形態例のように、商品陳列用平板に貫通孔が空けられ、その貫通孔に凹部用凹み部材が嵌め込まれることにより形成されている嵌合用凹部や、商品陳列用平板に空けられた貫通孔や、商品陳列用平板が厚い場合には、商品陳列用平板の厚み方向の途中まで掘られた凹み等が挙げられる。
【００７２】
嵌合用凹部の形成位置は、商品陳列面を平面視したときの第一辺と第二辺の端部近傍と、第一辺と第三辺の端部近傍又は第二辺と第三辺の端部近傍のいずれか一方と、である。
【００７３】
本発明の商品陳列具（３）は、商品陳列具の下側に形成され、他の商品陳列具の嵌合用凹部に嵌合する嵌合用凸部を有する。嵌合用凸部は、商品陳列具の下側より突出している凸部であり、他の商品陳列具の嵌合用凹部に嵌合することができる凸部であればよい。なお、本発明において、商品陳列具の下側とは、商品陳列具のうちの嵌合用凸部以外の部分で、最も下にある部分を指し、つまり、嵌合用凸部以外の部分における商品陳列具の下端を指す。また、嵌合用凸部としては、図１〜図３に示す形態例のように、凹部用凹み部材の裏側に円筒状の凸部用円筒部材を固定することにより形成されている嵌合用凸部や、商品陳列用平板の裏面に形成された突起等が挙げられる。
【００７４】
嵌合用凸部の形成位置は、商品陳列具を底面視したときの第一辺と第二辺の端部近傍と、第一辺と第三辺の端部近傍又は第二辺と第三辺の端部近傍のいずれか一方と、である。
【００７５】
本発明の商品陳列具（３）では、商品陳列具の下側に、補助支持部材が係合する補助支持部材用係合部を有する。なお、補助支持部材とは、複数の商品陳列具が組み立てられるときに、商品陳列具の下側に設置され、商品陳列具を下側から支持するための部材である。補助支持部材用係合部としては、図１〜図３又は図１４〜図１６に示す形態例のように、嵌合用凸部又は補助支持部材係合用部材の下側且つ内側に形成されている孔であり、補助支持部材の先端が指し込まれる穴や、嵌合用凸部又は補助支持部材係合用部材の下側且つ内側に形成されているネジ穴であり、補助支持部材の先端に形成されているネジ山がネジ込まれるネジ穴や、補助支持部材の先端が当接する凹みや、嵌合用凸部又は補助支持部材係合用部材の下側且つ外側に形成されているネジ山であり、補助支持部材の先端に形成されているネジ穴にネジ込まれるネジ山等が挙げられる。
【００７６】
補助支持部材用係合部の形成位置は、複数の商品陳列具が組み立てられたときに、商品陳列具を下側から支持することができる位置であればよい。そして、補助支持部材用係合部が、商品陳列具を底面視したときに、第一辺と第三辺の端部近傍又は第二辺と第三辺の端部近傍であり、第一辺と第三辺の端部近傍に嵌合用凸部が形成されている場合には、第二辺と第三辺の端部近傍に補助支持部材用係合部が形成されていることが好ましく、また、第二辺と第三辺の端部近傍に嵌合用凸部が形成されている場合には、第一辺と第三辺の端部近傍に補助支持部材用係合部が形成されていることが好ましい。
【００７７】
本発明の商品陳列具セットは、２以上の商品陳列具と、１以上の補助支持部材と、を有し、
該商品陳列具は、本発明の商品陳列具（１）、本発明の商品陳列具（２）又は本発明の商品陳列具（３）のいずれかであり、
該補助支持部材は、該商品陳列具の該補助支持部材用係合部に係合することにより、該商品陳列具を下側から支持する部材であること、
を特徴とする商品陳列具セットである。
【００７８】
本発明の商品陳列具セットは、商品陳列具及び補助支持部材以外に、嵌合用凸部が嵌合していない嵌合用凹部を塞ぎ、商品陳列面を平坦にするための塞ぎ部材等を有することができる。
【産業上の利用可能性】
【００７９】
本発明の商品陳列具セットによれば、種々の商品陳列の演出が可能になる。
【符号の説明】
【００８０】
１、２１、３１、５１、７１、８１  商品陳列具
２、２２、３２、５２、７２、８２  商品陳列用平板
３、５３  側板
４、２４、５４、７４  嵌合用凸部
５、２５、３５、５５、７５、８５  嵌合用凹部
６、２６、３６、５６、７６、８６  商品陳列面
７、２７、３７、５７、７７、８７  補助支持部材係合部
１０、６０  組み立て体
１１、６１  第一辺
１２、６２  第二辺
１３、４１、４２、４３、６３  第三辺
１５、６５  補助支持部材
２９、３９、７９  商品陳列用平板の裏面
３４  脚部
４５  対象軸
４６  第一辺の延長線と第二辺の延長の交点
４９  中心角
５９  補助支持部材係合用部材
８３  第二脚部
８４  第一脚部
１０１  凹部用凹み部材
１０２  凸部用円筒部材
４７１  第一辺から第二辺に繋がる部分
４７２  第一辺から第三辺に繋がる部分
４７３  第二辺から第三辺に繋がる部分
【図１】
2014018505.tif 000003
【図２−１】
2014018505.tif 000004
【図２−２】
2014018505.tif 000005
【図３】
2014018505.tif 000006
【図４】
2014018505.tif 000007
【図５】
2014018505.tif 000008
【図６】
2014018505.tif 000009
【図７】
2014018505.tif 000010
【図８】
2014018505.tif 000011
【図９】
2014018505.tif 000012
【図１０】
2014018505.tif 000013
【図１１】
2014018505.tif 000014
【図１２】
2014018505.tif 000015
【図１３】
2014018505.tif 000016
【図１４】
2014018505.tif 000017
【図１５−１】
2014018505.tif 000018
【図１５−２】
2014018505.tif 000019
【図１６】
2014018505.tif 000020
【図１７】
2014018505.tif 000021
【図１８】
2014018505.tif 000022
【図１９】
2014018505.tif 000023
【図２０】
2014018505.tif 000024